(57)【要約】【課題】吐水管１本の回転移動のみで吐水位置が変えられる給水栓を提供する。【解決手段】浴室の壁面及び該壁面に突設された洗い場カウンタのいずれかに設けられた給水栓において、給水栓本体下部に下方を指向して設けられた第１の吐水口と、該第１の吐水口周りに回動自在に取り付けられた吐水管と、該吐水管の先端に下方を指向して設けられた第２の吐水口と、上記吐水管が上記壁面に平行な位置にあるときは上記第１の吐水口のみから吐水し、上記壁面に平行な位置以外の所定の位置にあるときは上記第２の吐水口のみから吐水するように吐水先を切り替える切替弁とを備える。【選択図】  図２
2007270507.tif 000002
【特許請求の範囲】
【請求項１】
浴室の壁面及び該壁面に突設された洗い場カウンタのいずれかに設けられた給水栓において、
給水栓本体下部に下方を指向して設けられた第１の吐水口と、
該第１の吐水口周りに回動自在に取り付けられた吐水管と、
該吐水管の先端に下方を指向して設けられた第２の吐水口と、
上記吐水管が上記壁面に平行な位置にあるときは上記第１の吐水口のみから吐水し、上記壁面に平行な位置以外の所定の位置にあるときは上記第２の吐水口のみから吐水するように吐水先を切り替える切替弁と、
を備えることを特徴とする給水栓。
【発明の詳細な説明】
【技術分野】
【０００１】
本発明は、給水栓に係り、特に浴室の洗い場に取設される給水栓に関する。
【背景技術】
【０００２】
従来の浴室では、洗い場で洗体行為を行なう場合、一般的に風呂椅子に腰掛け、床に洗面器を置いて利用していた。この場合、風呂椅子の座面よりも洗面器を置く床面が低く必要以上に腰をかがめなければならず、特に高齢者等には身体的に非常に負担がかかっていた。この点を考慮して、浴室の洗い場に設置されたカウンター下に洗面器置き台が設けられるようになった。
【０００３】
この場合、給水栓は、洗面器置き台がない場合に比べ洗面器置き台の高さ分だけ高く取り付けられると逆に使用勝手が悪くなるので、そうならない範囲でしか上げられない。その結果、吐水口と洗面器置き台との間隔は小さくなる。
【０００４】
ところで、浴室洗い場の給水栓は、年末の大掃除の時等には、バケツへの給水に使用されることが多い。しかしながら、洗面器置き台があると、吐水口と洗面器置き台との間隔がバケツの高さより小さいので、洗面器置き台上にバケツを置くことができず、直接給水することができない。
【０００５】
そこで、洗面器置き台を着脱自在に設けたり、使用状態より上方又は下方に回動できるように設けたりするものがあるが、カウンターに収まっている使用状態から洗面器置き台を取り外したり、回動させたりする作業に手間が掛かり面倒であった。 
一方、吐水管の吐水範囲を拡げるために吐水管を２分割して折りたたみ式のものがある（例えば、特許文献１参照。）。この方式によれば、普段は吐水管が邪魔にならないように折りたたんで使用し、分割された両方の吐水管を伸ばせば、洗面器置き台の手前に置いたバケツに給水することもできる。
【特許文献１】特開２００１−２５４４０９号公報
【発明の開示】
【発明が解決しようとする課題】
【０００６】
しかしながら、この方式では、吐水位置を変えるには、分割された第１の吐水管と第２の吐水管の両方を回転させなければならず煩雑である。
【０００７】
本発明は、上述した事情を考慮してなされたもので、吐水管１本の回転移動のみで吐水位置が変えられる給水栓を提供することを目的とするものである。
【課題を解決するための手段】
【０００８】
本発明に係る給水栓は、上述した課題を解決するために、請求項１に記載したように、浴室の壁面及び該壁面に突設された洗い場カウンタのいずれかに設けられた給水栓において、給水栓本体下部に下方を指向して設けられた第１の吐水口と、該第１の吐水口周りに回動自在に取り付けられた吐水管と、該吐水管の先端に下方を指向して設けられた第２の吐水口と、上記吐水管が上記壁面に平行な位置にあるときは上記第１の吐水口のみから吐水し、上記壁面に平行な位置以外の所定の位置にあるときは上記第２の吐水口のみから吐水するように吐水先を切り替える切替弁とを備えるものである。
【発明の効果】
【０００９】
本発明に係る給水栓によれば、吐水管１本の回転移動のみで吐水位置を変えることができる。
【発明を実施するための最良の形態】
【００１０】
本発明に係る給水栓の実施形態について、添付図面を参照して説明する。図１は、本発明に係る洗い場水栓７を備えるシステムバス１の概略を示すものである。
【００１１】
システムバス１は、壁パネル６よりなる壁面により外部と区画され、洗い場２側の浴槽３に隣接する壁面には、洗い場水栓７周りの配管類を掩蔽する洗い場カウンタ９が突設される。この洗い場カウンタ９は、その高さが、浴槽３天端と略同一に設定され、一端が浴槽３及びバスエプロン４に当接し、図示しない他端は、洗い場カウンタ９が取設された壁面と直交する壁面に当接している。この洗い場カウンタ９のカウンタトップは、シャンプーのボトル等の置き場として利用される。
【００１２】
そして、洗い場カウンタ９の下方には、洗面器置き場とし使用される洗面器置き台１０が取設される。
【００１３】
洗い場カウンタ９の前面には、洗い場水栓７が取設される。洗い場水栓７は、筒状の給水栓本体７１の両端に、それぞれ水量調整ハンドル７１ａ及び温度調整ハンドル７１ｂが設けられ、給水栓本体７１の中央下端には、第１吐水口７２ｂが開口する。
【００１４】
また、第１吐水口７２ｂ周りから、吐水管７２が回動自在に設けられ、吐水管７２の先端には第２吐水口７２ｄが開口する。そして、吐水管７２が壁パネル６と平行な位置にある場合は第１吐水口７２ｂから吐水され、吐水管７２が壁パネル６と垂直な位置にある場合、すなわち、前方に突出する場合は第２吐水口７２ｄから吐水される。このように、吐水管７２は、その回転移動する位置により吐水先を切り替える吐水先切替機構７０を構成する要素となる。
【００１５】
吐水手段としてはこの他に、バス水栓５及びシャワー８を備える。シャワー８は、洗い場水栓７裏面から分岐して洗い場カウンタ９の底部から延出するシャワーホース８２と、その先端に接続されたシャワーヘッド８３を有する。
【００１６】
吐水先切替機構７０は、図２に示すように、吐水管７２と切替弁７３とで構成される。吐水管７２は、給水栓本体７１から垂下する円筒状の下端部７１ｃと連接される連接部７２ａと、吐水管本体７２ｃとを備える。
【００１７】
連接部７２ａの下端には、第１吐水口７２ｂが、また、吐水管本体７２ｃの先端下部には、第２吐水口７２ｄがそれぞれ設けられる。
【００１８】
連接部７２ａと下端部７１ｃとの間には円筒状の切替弁７３が介装される。切替弁７３は、吐水管７２の回動に伴って回動する。
【００１９】
下端部７１ｃには開口７１ｄが設けられ、切替弁７３には、第１吐水口用開口７３ａ及び第２吐水口用開口７３ｂが円筒の中心に対する侠角が９０°になる位置関係で設けられる。また、吐水管７２には、第２吐水口用開口７３ｂと重なる位置に開口７２ｅが設けられる。これらの開口は、すべて同じ高さにある。
【００２０】
図２（ａ）及び（ｂ）に示すように、切替弁７３の第１吐水口用開口７３ａが、下端部７１ｃの開口７１ｄと重なる位置にある場合は、給水栓本体７１から供給される水は、これらの重なった開口を通過して連接部７２ａへと流出し、第１吐水口７２ｂから吐出される。このとき、第２吐水口用開口７３ｂは、下端部７１ｃの側面と当接して閉止され、水は吐水管本体７２ｃ側へと流れない。
【００２１】
この状態から、吐水管７２を９０°回転させると、図２（ｃ）に示す状態になり、下端部の開口７１ｄ、切替弁の第２吐水口用開口７３ｂ、及び吐水管７２の開口７２ｅが連通する。
【００２２】
そうすると、給水栓本体７１から供給される水は、これらの重なった開口を通過して吐水管本体７２ｃへと流出し、第２吐水口７２ｄから吐出される。このとき、第１吐水口用開口７３ａは、下端部７１ｃの側面と当接して閉止され、水は連接部７２ａ側へと流れない。
【００２３】
本実施形態に係る洗い場水栓７は以上のように構成されているので、図３に示すように、吐水管７２が壁パネル６に平行な位置にある場合、すなわち、同図の（イ）の位置にある場合は、給水栓本体７１の直下にある第１吐水口７２ｂからのみ吐水される。したがって、洗面器置き台１０に載置された洗面器で吐出された水を受けることができる。
【００２４】
この状態から、吐水管７２を９０°回転させ、吐水管７２を洗い場側に突出する位置に置く場合、すなわち、同図の（ロ）の位置にある場合は、吐水管７２先端の第２吐水口７２ｄからのみ吐水される。この場合第２吐水口７２ｄは、洗面器置き台１０よりも洗い場２側に突出しているので、洗い場２の床に置いたバケツで吐出された水を受けることができる。
【００２５】
このように、本実施形態に係る洗い場水栓７によれば、吐水管７２を片手で１度回転させるだけで、吐出位置を変えることができる。
【００２６】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００２７】
例えば、本実施形態では、吐水管７２を９０°回転させて吐水位置を切り替えているが、これに限らず、例えば給水栓がコーナー部にある場合等では、４５°回転させて吐水位置を切り替えるようにしてもよい。
【図面の簡単な説明】
【００２８】
【図１】本発明の実施形態に係る給水栓が設けられたシステムバスの概要を示す斜視図。
【図２】図１に示された給水栓の吐水先切替機構を示す図で、（ａ）は縦断面図、（ｂ）はそのＡ−Ａ矢視図、（ｃ）はその吐水管を９０°回転させた図。
【図３】本実施形態に係る吐水先切替機構の動作を示す平面図。
【符号の説明】
【００２９】
１  システムバス
２  洗い場
３  浴槽
４  バスエプロン
５  バス水栓
６  壁パネル
７  洗い場水栓
８  シャワー
９  洗い場カウンタ
１０  洗面器置き台
７０  吐水先切替機構
７１  給水栓本体
７１ａ  水量調整ハンドル
７１ｂ  温度調整ハンドル
７１ｃ  下端部
７１ｄ  開口
７２  吐水管
７２ａ  連接部
７２ｂ  第１吐水口
７２ｃ  吐水管本体
７２ｄ  第２吐水口
７２ｅ  開口
７３  切替弁
７３ａ  第１吐水口用開口
７３ｂ  第２吐水口用開口
８２  シャワーホース
８３  シャワーヘッド
【図１】
2007270507.tif 000003
【図２】
2007270507.tif 000004
【図３】
2007270507.tif 000005